(57)【要約】【課題】グラビア印刷装置の稼働率を向上させることができるドクタ装置を提供する。【解決手段】本発明によるドクタ装置は、グラビア版胴８の版面８ａに塗布されたインキ２を掻き取るためにグラビア版胴８の長手方向に延びる帯状の柔軟材からなり、グラビア版胴８側に刃部１４を有するドクタ本体１３と、グラビア版胴８の長手方向に延び、ドクタ本体１３を、刃部１４を外方に露出させた状態で案内するホルダ１５とを備えている。ホルダ１５の一側に、ドクタ本体１３が巻き付けられた繰出しロール１７が設けられている。また、ホルダ１５の他側に、繰出しロール１７からドクタ本体１３を繰り出してホルダ１５に搬送するとともに、ドクタ本体１３をホルダ１５から引き出す駆動部１９が設けられている。【選択図】図１
2010253797.tif 000002
【特許請求の範囲】
【請求項１】
グラビア版胴に近接して設けられ、グラビア版胴の版面に塗布されたインキを掻き取るドクタ装置において、
グラビア版胴の版面に塗布されたインキを掻き取るためにグラビア版胴の長手方向に延びる帯状の柔軟材からなり、グラビア版胴側に刃部を有するドクタ本体と、
グラビア版胴の長手方向に延び、ドクタ本体を、刃部を外方に露出させた状態で案内するホルダと、
このホルダの一側に設けられ、ドクタ本体が巻き付けられた繰出しロールと、
ホルダの他側に設けられ、繰出しロールからドクタ本体を繰り出してホルダに搬送するとともに、ドクタ本体をホルダから引き出す駆動部と、を備えたことを特徴とするドクタ装置。
【請求項２】
ホルダの両側に、ドクタ本体の幅方向全域を覆ってドクタ本体の抜けを防止する一対のストッパーが設けられていることを特徴とする請求項１に記載のドクタ装置。
【請求項３】
駆動部の下流側に、ホルダから引き出されたドクタ本体を巻き取る巻取りロールが設けられていることを特徴とする請求項１または２に記載のドクタ装置。
【請求項４】
繰出しロールとホルダとの間に、ドクタ本体に張力を付与する張力付与部が設けられていることを特徴とする請求項１乃至３のいずれかに記載のドクタ装置。
【発明の詳細な説明】
【技術分野】
【０００１】
本発明は、グラビア印刷装置のグラビア版胴に近接して設けられ、グラビア版胴の版面に塗布されたインキを掻き取るドクタ装置に係り、とりわけ、グラビア印刷装置の稼働率を向上させることができるドクタ装置に関する。
【背景技術】
【０００２】
従来より、インキが塗布される版面を有するグラビア版胴と、グラビア版胴に近接して設けられ、グラビア版胴の版面に塗布されたインキを掻き取るドクタ刃を有するドクタ装置とを備えたグラビア印刷装置が知られている（例えば、特許文献１参照）。
【先行技術文献】
【特許文献】
【０００３】
【特許文献１】特開平７−１５６５２５号公報
【発明の概要】
【発明が解決しようとする課題】
【０００４】
このようなグラビア印刷装置のグラビア版胴が回転している間、ドクタ装置のドクタ刃はグラビア版胴の版面に当接してインキを掻き取っている。このことにより、ドクタ装置のドクタ刃が摩耗する。このため、ドクタ刃がある程度摩耗した場合には、回転しているグラビア版胴を停止して、摩耗したドクタ刃を新しいドクタ刃に交換する必要がある。また、新しいドクタ刃に交換した後、印刷不良が発生することもある。このため、摩耗したドクタ刃を新しいドクタ刃に交換することにより、グラビア印刷装置の稼働率が低下するという問題があった。
【０００５】
本発明は、このような点を考慮してなされたものであり、グラビア印刷装置の稼働率を向上させることができるドクタ装置を提供することを目的とする。
【課題を解決するための手段】
【０００６】
本発明は、グラビア版胴に近接して設けられ、グラビア版胴の版面に塗布されたインキを掻き取るドクタ装置において、グラビア版胴の版面に塗布されたインキを掻き取るためにグラビア版胴の長手方向に延びる帯状の柔軟材からなり、グラビア版胴側に刃部を有するドクタ本体と、グラビア版胴の長手方向に延び、ドクタ本体を、刃部を外方に露出させた状態で案内するホルダと、このホルダの一側に設けられ、ドクタ本体が巻き付けられた繰出しロールと、ホルダの他側に設けられ、繰出しロールからドクタ本体を繰り出してホルダに搬送するとともに、ドクタ本体をホルダから引き出す駆動部と、を備えたことを特徴とするドクタ装置である。
【０００７】
本発明は、ホルダの両側に、ドクタ本体の幅方向全域を覆ってドクタ本体の抜けを防止するストッパーが設けられていることを特徴とするドクタ装置である。
【０００８】
本発明は、駆動部の下流側に、ホルダから引き出されたドクタ本体を巻き取る巻取りロールが設けられていることを特徴とするドクタ装置である。
【０００９】
本発明は、繰出しロールとホルダとの間に、ドクタ本体に張力を付与する張力付与部が設けられていることを特徴とするドクタ装置である。
【発明の効果】
【００１０】
本発明によれば、刃部を有するドクタ本体は、駆動部によって繰出しロールから繰り出されてホルダに搬送され、ホルダによってグラビア版胴の長手方向に延びるように案内される。ホルダ内において、ドクタ本体の刃部は、グラビア版胴の版面に塗布されたインキを掻き取り、その後、ドクタ本体はホルダから引き出される。このことにより、グラビア版胴が回転している間、ホルダの一側に繰出しロールから新しいドクタ本体を搬送しながら、ホルダの他側からはインキを掻き取った刃部を有するドクタ本体を引き出すことができる。このため、インキを掻き取り摩耗した刃部を有するドクタ本体を交換するために、回転しているグラビア版胴を停止させる必要がない。この結果、グラビア印刷装置の稼働率を向上させることができる。
【図面の簡単な説明】
【００１１】
【図１】図１は、本発明の実施の形態におけるドクタ装置を含むグラビア印刷装置の全体構成を示す図である。
【図２】図２は、本発明の実施の形態におけるドクタ装置において、ホルダの断面構成を示す図である。
【図３】図３は、本発明の実施の形態におけるドクタ装置において、ストッパーの断面構成を示す図である。
【発明を実施するための形態】
【００１２】
発明の実施の形態
以下、図面を参照して、本発明の実施の形態について説明する。
【００１３】
まず、図１によりグラビア印刷装置１の全体構成について説明する。ここで、グラビア印刷装置１は、連続するウェブ３に対して印刷を施すためのものである。
【００１４】
図１に示すようにグラビア印刷装置１は、インキ２が塗布される版面８ａを有する回転自在のグラビア版胴８と、グラビア版胴８に近接して設けられ、グラビア版胴８の版面８ａに塗布されたインキ２を掻き取るドクタ装置１２とを備えている。このうち、グラビア版胴８の版面８ａの所望の位置に、後述するウェブ３に対して所望の形状にインキ２を転写するために凹状に形成されたセル８ｂが設けられている。
【００１５】
グラビア版胴８の下方に、インキ２を貯蔵するインキパン６が設けられ、このインキパン６とグラビア版胴８との間に、インキパン６に貯蔵されたインキ２をグラビア版胴８の版面８ａに塗布するファニッシャー７が設けられている。
【００１６】
図１に示すように、インキパン６にインキ供給ポンプ５が連結され、このインキ供給ポンプ５にインキ供給タンク４が連結され、さらに、このインキ供給タンク４とインキパン６とが連結されている。このようにして、インキパン６に貯蔵されたインキ２の粘度を所定の粘度に保持するとともに、インキパン６におけるインキ２の量を所定の量に保持するようになっている。
【００１７】
ドクタ装置１２の上方に、グラビア版胴８に対して空気を間欠的に吹き付ける（間欠送風する）空気吹付部９が設けられている。すなわち、この空気吹付部９は、空気が吹き付けられる位置にセル８ｂが存在している間には空気を吹き付けることはなく、セル８ｂが存在していない間にのみ空気を吹き付けるように構成されている。このようにして、セル８ｂに対してグラビア版胴８の回転方向上流側および下流側に位置する版面８ａの部分のみに空気が吹き付けられるようになっている。
【００１８】
グラビア版胴８の上方に、グラビア版胴８の版面８ａに送られてくるフィルムまたは紙等からなるウェブ３を、グラビア版胴８の版面８ａに押圧する圧胴１０が設けられている。この圧胴１０によりウェブ３がグラビア版胴８の版面８ａに押圧されて、ウェブ３に、グラビア版胴８のセル８ｂに充填されていたインキ２が転写される。
【００１９】
次に、本発明によるドクタ装置１２について説明する。図１に示すように、ドクタ装置１２は、グラビア版胴８の版面８ａに塗布されたインキ２を掻き取るためにグラビア版胴８の長手方向に延びる帯状の柔軟材からなり、グラビア版胴８の版面８ａに当接する刃部１４を有するドクタ本体１３を有している。
【００２０】
このドクタ本体１３は、１５０μｍ〜３００μｍの厚さを有しており、鋼、ステンレス、またはプラスチックを用いて形成されている。なお、ドクタ本体１３が鋼からなっている場合には、使用するインキ２の種類に応じて、ドクタ本体１３の全面に、Ｎｉ−Ｐ粒子およびＳｉＣ粒子を混入させたニッケルめっき、Ｎｉ−Ｐ粒子およびＰＴＦＥ粒子を混入させたニッケルめっき、Ｎｉ−Ｐ粒子を混入させたニッケルめっき、またはクロムめっきが施されていることが好ましい。
【００２１】
図１および図２に示すように、ドクタ本体１３の上方に、グラビア版胴８の長手方向であって版面８ａの幅を越えて延び、ドクタ本体１３を案内するホルダ１５が設けられている。このホルダ１５は、ドクタ本体１３の刃部１４を、グラビア版胴８側において外方に露出させた状態で、ドクタ本体１３を案内するように構成されている。
【００２２】
また、ドクタ本体１３の下方に、グラビア版胴８の長手方向であって版胴８ａの幅を越えて延びる支持台１６が設けられ、この支持台１６上に、ホルダ１５が取り付けられている。このようにして、支持台１６とホルダ１５との間に、グラビア版胴８の長手方向に搬送されているドクタ本体１３が案内されるように構成されている。
【００２３】
また、図１に示すように、ホルダ１５の一側（ドクタ本体１３の搬送方向上流側）に、ドクタ本体１３が巻き付けられた繰出しロール１７が設けられている。
【００２４】
この繰出しロール１７とホルダ１５との間に、ドクタ本体１３に張力を付与する張力付与部１８が設けられている。この張力付与部１８は、図示しないブレーキ機構部を有し、搬送されているドクタ本体１３を制動して、ドクタ本体１３に張力を付与するようになっている。
【００２５】
ホルダ１５の他側（ドクタ本体１３の搬送方向下流側）に、繰出しロール１７からドクタ本体１３を連続して繰り出してホルダ１５に搬送するとともに、ドクタ本体１３をホルダ１５から連続して引き出す駆動部１９が設けられている。この駆動部１９は、図示しないモータと、このモータの出力側に連結された図示しない減速機とを有し、モータの駆動力が減速機を介してドクタ本体１３に伝達されて、ドクタ本体１３が搬送されるようになっている。
【００２６】
駆動部１９の下流側に、ホルダ１５から引き出されたドクタ本体１３を巻き取る巻取りロール２０が設けられている。
【００２７】
また、ホルダ１５と張力付与部１８との間に、ホルダ１５に搬送されるドクタ本体１３を案内する繰出し側ガイドロール２１が設けられ、ホルダ１５と駆動部１９との間に、ホルダ１５から引き出されるドクタ本体１３を案内する巻取り側ガイドロール２２が設けられている。
【００２８】
図１および図３に示すように、支持台１６上であってホルダ１５の両側に、ドクタ本体１３の幅方向全域を覆ってドクタ本体１３の抜けを防止する一対のストッパー２３が設けられている。各ストッパー２３は、ドクタ本体１３の上方においてドクタ本体１３の刃部１４を越えて延びるストッパー本体部２４と、このストッパー本体２４の先端側（グラビア版胴８側）に設けられ、下方（グラビア版胴８の回転方向上流側）に延びる係止部２５とを有し、グラビア版胴８の版面８ａよりも搬送方向上流側および下流側にそれぞれ配置されている。
【００２９】
次に、このような構成からなる本実施の形態の作用について説明する。
【００３０】
本発明によるグラビア印刷装置１によりウェブ３に対して印刷を施す場合、まず、図１に示すように、インキパン６に貯蔵されたインキ２が、ファニッシャー７を介して、回転するグラビア版胴８の版面８ａに塗布される。
【００３１】
次に、グラビア版胴８の版面８ａに塗布されたインキ２が、グラビア版胴８の版面８ａに当接したドクタ本体１３の刃部１４（図２参照）により掻き取られる。この間、グラビア版胴８のセル８ｂに充填されたインキ２は、ドクタ本体１３の刃部１４により掻き取られることはなく、このセル８ｂ内に残される。次に、グラビア版胴８に対して空気吹付部９から空気が間欠的に吹き付けられる。この場合、グラビア版胴８のセル８ｂには空気が吹き付けられることはなく、セル８ｂに対してグラビア版胴８の回転方向上流側および下流側に位置する版面８ａの部分のみに空気が吹き付けられる。このことにより、セル８ｂに充填されたインキ２の溶剤を蒸発させることを抑制して、この版面８ａの部分に残存しているインキ２の溶剤を蒸発させることができる。
【００３２】
次に、グラビア版胴８の版面８ａにウェブ３が送られ、グラビア版胴８の上方に設けられた圧胴１０により、ウェブ３がグラビア版胴８の版面８ａに押圧される。このことにより、グラビア版胴８のセル８ｂに充填されていたインキ２がウェブ３に転写され、ウェブ３に対して所望の印刷が施される。
【００３３】
グラビア版胴８が回転してグラビア印刷装置１が稼働している間、駆動部１９の図示しないモータが連続して駆動されて、図示しない減速機を介してドクタ本体１３にモータの駆動力が伝達される。このことにより、繰出しロール１７からドクタ本体１３が連続して繰り出されて、繰出し側ガイドロール２１および上流側のストッパー２３を通ってホルダ１５に連続して搬送される。
【００３４】
ホルダ１５に搬送されたドクタ本体１３は、グラビア版胴８の長手方向に案内され、ドクタ本体１３の刃部１４がグラビア版胴８の版面８ａに当接する。このことにより、グラビア版胴８の版面８ａに塗布されたインキ２を掻き取ることができる。
【００３５】
インキ２を掻き取ったドクタ本体１３は、ホルダ１５から下流側のストッパー２３を介して連続的に引き出され、巻取り側ガイドロール２２および駆動部１９を通って巻取りロール２０に搬送されて巻き取られる。
【００３６】
この間、搬送されているドクタ本体１３に張力付与部１８の図示しないブレーキ機構部により、搬送されているドクタ本体１３が制動されて所定の張力が付与される。このことにより、ホルダ１５内においてドクタ本体１３を直線状に形成し、グラビア版胴８の版面８ａに塗布されたインキ２を均一に掻き取ることができる。
【００３７】
また、グラビア版胴８が回転している間、不測の事態により、ドクタ本体１３がグラビア版胴８に係合してグラビア版胴８の回転方向下流側に引き出された場合には、ドクタ本体１３がストッパー２３のストッパー本体２４の先端側に設けられた係止部２５によって係止される。このことにより、ドクタ本体１３がホルダ１５から抜けることを確実に防止することができる。
【００３８】
このように本実施の形態によれば、刃部１４を有するドクタ本体１３は、駆動部１９によって繰出しロール１７から連続して繰り出されてホルダ１５に搬送され、ホルダ１５によってグラビア版胴８の長手方向に延びるように案内される。ホルダ１５内において、ドクタ本体１３の刃部１４はグラビア版胴８の版面８ａに当接し、グラビア版胴８の版面８ａに塗布されたインキ２を掻き取る。その後、ドクタ本体１３はホルダ１５から連続して引き出される。このことにより、グラビア版胴８が回転している間、ホルダ１５に繰出しロール１７から新しいドクタ本体１３を順次搬送しながら、ホルダ１５からインキ２を掻き取った刃部１４を有するドクタ本体１３を順次引き出すことができる。このため、インキ２を掻き取った刃部１４を有するドクタ本体１３を交換するために、回転しているグラビア版胴８を停止させる必要がない。この結果、グラビア印刷装置１の稼働率を向上させることができる。
【００３９】
なお、本実施の形態においては、駆動部１９の下流側にホルダ１５から引き出されたドクタ本体１３を巻き取る巻取りロール２０が設けられている例について述べた。しかしながらこのことに限られることはなく、巻取りロール２０を設けることなく、駆動部１９の下流側にドクタ本体１３を回収する回収箱（図示せず）を設置し、駆動部１９により引き出されたドクタ本体１３を回収箱に回収するようにしても良い。また、駆動部１９とこの回収箱との間にドクタ本体１３を切断する切断部（図示せず）を設けて、駆動部１９により引き出されたドクタ本体１３を切断しながら回収箱に回収するようにしても良い。あるいは、駆動部１９がドクタ本体１３を巻き取るように構成しても良い。
【００４０】
また、本実施の形態においては、繰出しロール１７とホルダ１５との間に、ドクタ本体１３に張力を付与する張力付与部１８が設けられている例について述べた。しかしながらこのことに限られることはなく、このような張力付与部１８を設けることなく、繰出しロール１７が、ドクタ本体１３に張力を付与することができるように構成しても良い。
【符号の説明】
【００４１】
１      グラビア印刷装置
２      インキ
３      ウェブ
４      インキ供給タンク
５      インキ供給ポンプ
６      インキパン
７      ファニッシャー
８      グラビア版胴
８ａ    版面
８ｂ    セル
９      空気吹付部
１０    圧胴
１２    ドクタ装置
１３    ドクタ本体
１４    刃部
１５    ホルダ
１６    支持台
１７    繰出しロール
１８    張力付与部
１９    駆動部
２０    巻取りロール
２１    繰出し側ガイドロール
２２    巻取り側ガイドロール
２３    ストッパー
２４    ストッパー本体
２５    係止部
【図１】
2010253797.tif 000003
【図２】
2010253797.tif 000004
【図３】
2010253797.tif 000005